(57)【要約】      （修正有）【課題】一見して印章を収納しているとは判別できない形状に形成すると共に、印章ケースを落下させた場合においても、印章ケース及び印章が破損しないようにした印章ケースを提供する。【解決手段】厚肉方形状に形成され、印章の側部と遊嵌可能とされる半円柱状の凹部となる第一凹部を上面に有する台部１２と、前記台部の上面で長手方向の一方の端部に垂直方向に膨出し、印章３０の先端部と嵌合可能とされる円柱状の凹部となる第二凹部を側面に有する膨出部１４と、四角柱形状に形成され、印章の側部と遊嵌可能とされる半円柱状の凹部となる第三凹部を下面に有して前記台部を覆う蓋部１６とを備えた。【選択図】図１
0003132390.tif 000002
【実用新案登録請求の範囲】
【請求項１】
厚肉方形状に形成され、印章の側部と遊嵌可能とされる半円柱状の凹部となる第一凹部を上面に有する台部と、
前記台部の上面で長手方向の一方の端部に垂直方向に膨出し、印章の先端部と嵌合可能とされる円柱状の凹部となる第二凹部を側面に有する膨出部と、
四角柱形状に形成され、印章の側部と遊嵌可能とされる半円柱状の凹部となる第三凹部を下面に有して前記台部を覆う蓋部とを備え、
前記第一凹部及び前記第二凹部は、同軸とされることを特徴とした印章ケース。
【請求項２】
請求項１において、前記印章ケースの所望の位置に、朱肉スタンプ台及び／又は朱肉落としブラシが収納可能とされていることを特徴とした印章ケース。
【請求項３】
請求項１又は２において、前記印章ケースは、貨物自動車を模して形成をされていることを特徴とした印章ケース。
【請求項４】
請求項１乃至３のいずれか１項において、前記印章ケースは、ポリウレタンとなる樹脂素材で形成されていることを特徴とした印章ケース。
【考案の詳細な説明】
【技術分野】
【０００１】
本考案は、印章を収納することができる印章ケースに関するものである。
【背景技術】
【０００２】
従来、一般的に印鑑と呼ばれることも多い印章を収納することができる印章ケースには、例えば、実用新案登録第３１０６４９４号公報の「印鑑ケース」の如く、一見しては印章用のケースと判別できない印章ケースについて提案がなされており、この印章ケースの形状は、野球のバットに近似させて形成されたものであった。また、一般的な印章ケースは、印章を収納するケース本体部と蓋部とをヒンジによって開閉自在とされているものが一般的である。
【０００３】
また、従来の印章を収納する印章ケースは、硬質な樹脂で形成されており、印章ケースを落下させた際に、印章ケース自体の破損に止まらず、印章自体が破損することもあった。
【特許文献１】実用新案登録３１０６４９４号公報
【考案の開示】
【考案が解決しようとする課題】
【０００４】
そこで、本考案は、上記従来技術の問題点に斯かる実情に鑑みなされたもので、一見して印章を収納しているとは判別できない形状に形成すると共に、印章ケースを落下させた場合においても、印章ケース及び印章が破損しないようにした印章ケースを提供することを課題とする。
【課題を解決するための手段】
【０００５】
請求項１に記載の考案は、厚肉方形状に形成され、印章の側部と遊嵌可能とされる半円柱状の凹部となる第一凹部を上面に有する台部と、
前記台部の上面で長手方向の一方の端部に垂直方向に膨出し、印章の先端部と嵌合可能とされる円柱状の凹部となる第二凹部を側面に有する膨出部と、
四角柱形状に形成され、印章の側部と遊嵌可能とされる半円柱状の凹部となる第三凹部を下面に有して前記台部を覆う蓋部とを備え、
前記第一凹部及び前記第二凹部は、同軸とされることを特徴とする。
【０００６】
請求項２に記載の考案は、請求項１において、前記印章ケースの所望の位置に、朱肉スタンプ台及び／又は朱肉落としブラシが収納可能とされていることを特徴とする。
【０００７】
請求項３に記載の考案は、請求項１又は２において、前記印章ケースは、貨物自動車を模して形成をされていることを特徴とする。
【０００８】
請求項４に記載の考案は、請求項１乃至３のいずれか１項において、前記印章ケースは、ポリウレタンとなる樹脂素材で形成されていることを特徴とする。
【考案の効果】
【０００９】
本考案によれば、印章ケース内に印章を収納することによって、印章の全周囲を覆うことができ、収納された印章が転がらないようにすることができるものである。また、本考案の印章ケースは、朱肉を含んだ朱肉スタンプ台や、朱肉落としとなる朱肉落としブラシを収納可能とされ、その利便性を向上させることもできるものである。そして、印章ケースの形状を貨物自動車の形に形成することによって、一見して印章を収納しているとは判別できない印章ケースとすることができ、また印章ケースをポリウレタンとなる軟質な樹脂素材で形成することによって、万一に印章ケースを落下させた場合においても、印章ケース自体が落下による衝撃を吸収することにより、印章ケース自体及び印章が破損しないようにすることができる。
【００１０】
また、印章は、玄関先での宅配業者との対応の際に使用されることが多いことから、該印章を収納する印章ケースの形状を宅配業者が使用する貨物自動車の形状にすることによって、宅配業者とのコミュニケーションのための道具としてイメージし易くすることもできる。
【考案を実施するための最良の形態】
【００１１】
厚肉方形状に形成されて印章の側部と遊嵌可能とされる半円柱状の凹部となる第一凹部を上面に有する台部と、前記台部の上面で長手方向の一方の端部に垂直方向に膨出して印章の先端部と嵌合可能とされる円柱状の凹部となる第二凹部を側面に有する膨出部と、四角柱形状に形成されて印章の側部と遊嵌可能とされる半円柱状の凹部となる第三凹部を下面に有して前記台部を覆う蓋部とを備えた印章ケースであり、前記第一凹部及び前記第二凹部は、同軸とされるものである。また、印章ケースを形成する素材は、ポリウレタンとなる樹脂素材で形成され、その形状は、貨物自動車を模して形成されるものである。
【００１２】
そして、前記印章ケースの所望の位置に、朱肉スタンプ台及び／又は朱肉落としブラシを収納することもある。
【実施例１】
【００１３】
以下、図面を参照して本考案に係る印章ケースの一実施例を説明する。図１は、印章ケースの正面側から見た斜視図面であり、図２は、印章ケースを背面側から見た分解斜視図面である。
【００１４】
本考案の印章ケース１０は、図１に示すように運転席を有する自動車の荷台にコンテナが搭載された貨物自動車となるトラックを模した形状に形成されている。このような貨物自動車となるトラックの形状に印章ケース１０の形状とすることによって、一見して印章３０を収納しているとは判別できず、子供の玩具又は室内調度品と勘違いさせることができ、盗難され難くなるものである。さらに、印章ケース１０の形状を宅配業者が使用する貨物自動車の形状にすることによって、宅配業者とのコミュニケーションのための道具としてイメージし易くすることもできる。
【００１５】
また、本考案の印章ケース１０は、ポリウレタンとなる軟質な樹脂素材で形成されており、万一に印章ケース１０を落下させた場合においても、印章ケース１０自体が落下による衝撃を吸収することによって、印章ケース１０自体及びその内部に収納された印章３０が破損しないようにすることができるものである。また、印章ケース１０内に印章３０を収納することによって、印章３０が転がらないようにすることもできるものである。
【００１６】
次に図２を用いて、印章ケース１０を詳細に説明する。本考案の印章ケース１０は、自動車部と、コンテナ部とで分離される。この自動車部は、厚肉方形状の台部１２の上面且つ前方部分に、同じく厚肉方形状の膨出部１４が垂直に膨出して形成され、台部１２は、貨物自動車の下方部分（車輪など）を模して形成され、また、膨出部１４は、貨物自動車の前方部分となる運転席部を模して形成されている。
【００１７】
また、台部１２の上面には、膨出部１４の端辺から後方側の端辺近傍にかけて、長手方向と平行な半円柱状の凹部となる第一凹部１８が形成され、この第一凹部１８は、収納される印章３０の側部と遊嵌されるものである。また、膨出部１４の内側面（第一凹部１８が形成されている側）には、収納される印章３０の先端部を挿入することによって嵌合され、第一凹部１８と同軸の円柱状の凹部となる第二凹部２０が形成されている。
【００１８】
次に、コンテナ部となる蓋部１６は、四角柱形状に形成され、該蓋部１６の下面には、前方側の端辺から後方側の端辺近傍にかけて、長手方向と平行な半円柱状の凹部となる第三凹部２２が形成され、この第三凹部２２は、該台部１２に蓋部１６を載置した際に収納される印章３０の側部と遊嵌されるものである。
【００１９】
この印章ケース１０の使用方法は、貨物自動車となるトラックを模した印章ケース１０のコンテナ部となる蓋部１６を取り外し、貨物自動車の運転席部を模した膨出部１４に形成された円柱状の凹部となる第二凹部２０に、印章３０の先端部分を挿入して嵌合させ、貨物自動車の下方部分を模した台部１２に形成された第一凹部１８と、収納される印章３０の側部を遊嵌させるようにする。その後、嵌合させた印章３０を覆うように、台部１２の上部に、コンテナ部となる蓋部１６を被せ、収納される印章３０の側部と第三凹部２２を遊嵌させることによって、印章３０を収納できるものである。
【００２０】
この、収納される印章３０は、どのようなサイズの印章３０であってもよく、また、図２に示すようにシヤチハタ株式会社の「Ｘスタンパー（登録商標）」となるキャップ付きのインキ浸透印であっても構わない。
【００２１】
そして、印章ケース１０に収納される印章３０が、ごく一般的な印章３０である場合には、印章３０の印面に朱色の印肉となる朱肉を付ける為の朱肉スタンプ台（図示しない）や、印章３０の印面を清掃する為のブラシとなる朱肉落としブラシ（図示しない）を、台部１２と膨出部１４で構成される自動車部や、蓋部１６となるコンテナ部に収納することもできるものである。例えば、膨出部１４の第二凹部２０の凹部に円板状の朱肉スタンプ台を着脱自在に収納したり、蓋部１６の第三凹部２２の後方位置に半円形状の朱肉落としブラシを着脱自在に収納したりできるものである。
【００２２】
また、朱肉スタンプ台や、朱肉落としブラシは、これらを収納する凹部や孔などを印章ケース１０に形成し、前述とは異なる所望の位置に収納するようにしても構わないものである。このように、印章ケース１０に朱肉スタンプ台や、朱肉落としブラシを収納可能とすることによって、一般的な印章３０を使用及び清掃する際には、その利便性が向上するものである。
【００２３】
以上説明したように、一見して印章を収納しているとは判別できない形状に形成すると共に、印章ケースを落下させた場合においても、印章ケース及び印章が破損しないようにした印章ケースを提供することが可能である。このように、好ましい実施例を挙げて本考案を説明したが、本考案はその実施例に限定されるものではなく、本考案の要旨の範囲内で種々に改変できる。
【図面の簡単な説明】
【００２４】
【図１】本考案の一実施例である印章ケースの斜視図面である。
【図２】本考案の一実施例である印章ケースの裏面側からの分解斜視図面である。
【符号の説明】
【００２５】
１０  印章ケース
１２  台部
１４  膨出部
１６  蓋部
１８  第一凹部
２０  第二凹部
２２  第三凹部
３０  印章
【図１】
0003132390.tif 000003
【図２】
0003132390.tif 000004